(57)【要約】【課題】入力装置用基板の入力操作面側とは反対側に入力位置検出用電極およびシールド電極を設けた場合でも、入力位置検出用電極とシールド電極層との間に大きな容量が寄生することを防止することができる静電容量型入力装置、および入力機能付き電気光学装置を提供すること。【解決手段】静電容量型入力装置１では、入力装置用基板２０の入力操作面側（第１面２０ａ側）とは反対側（第２面２０ｂ側）に入力位置検出用電極２１を備えている。入力装置用基板２０の第２面２０ｂ側にはシールド用フィルム８が設けられており、シールド用電極８３と入力装置用基板２０との間には接着剤層８２および基材フィルム８１が介在している。従って、入力位置検出用電極２１とシールド電極層８３との間に寄生する容量が小さいので、高い感度を得ることができる。【選択図】図１
2011138261.tif 000002
【特許請求の範囲】
【請求項１】
入力操作が行われる第１面側とは反対側の第２面側に位置検出用電極を備えた入力装置用基板と、
基材フィルム上にシールド電極層をもって前記入力装置用基板の第２面側に接着剤層により接着されたシールド用フィルムと、
を有することを特徴とする静電容量型入力装置。
【請求項２】
前記シールド用フィルムは、前記シールド電極層を前記基材フィルムに対して前記入力装置用基板が位置する側とは反対側に備えていることを特徴とする請求項１に記載の静電容量型入力装置。
【請求項３】
前記基材フィルムの厚さと前記接着剤層との厚さとの和は５０μｍ以上であることを特徴とする請求項２に記載の静電容量型入力装置。
【請求項４】
前記基材フィルムの厚さと前記接着剤層との厚さとの和が１００μｍから１５０μｍであることを特徴とする請求項３に記載の静電容量型入力装置。
【請求項５】
前記シールド用フィルムは、前記基材フィルムの一方の面に前記接着剤層が予め形成され、他方の面に前記シールド電極層が予め形成されている接着剤層付きシールド用フィルムであることを特徴とする請求項１乃至４の何れか一項に記載の静電容量型入力装置。
【請求項６】
前記入力装置用基板の前記第２面側に部分的に重なるフレキシブル配線基板を備え、
前記シールド用フィルムは、前記入力装置用基板において前記位置検出用電極が形成されている入力領域に重なる本体部分と、当該本体部分から前記フレキシブル配線基板と重なる位置に向けて突出した突出部と、を備え、
前記シールド電極層は、前記突出部に形成されている部分が前記フレキシブル配線基板に電気的に接続されていることを特徴とする請求項１乃至５の何れか一項に記載の静電容量型入力装置。
【請求項７】
前記入力装置用基板の前記第２面側には前記フレキシブル配線基板と電気的に接続される複数の位置検出用実装端子が設けられており、
前記シールド用フィルムは、前記複数の位置検出用実装端子が設けられている領域を挟む両側に前記突出部を備えていることを特徴とする請求項６に記載の静電容量型入力装置。
【請求項８】
請求項１乃至７の何れか一項に記載の静電容量型入力装置を備えた入力機能付き電気光学装置であって、
前記位置検出用電極、前記入力装置用基板、前記基材フィルム、前記シールド電極層および前記接着剤層は透光性を備え、
前記シールド用フィルムに対して前記入力装置用基板が位置する側とは反対側に画像生成用の電気光学パネルが配置されていることを特徴とする入力機能付き電気光学装置。
【発明の詳細な説明】
【技術分野】
【０００１】
本発明は、入力位置検出用電極に結合する静電容量の変化に基づいて入力位置を検出する静電容量型入力装置、および当該静電容量型入力装置を備えた入力機能付き電気光学装置に関するものである。
【背景技術】
【０００２】
携帯電話、カーナビゲーション、パーソナルコンピューター、券売機、銀行の端末等の電子機器では、液晶装置等の電気光学パネルの表面に、タッチパネルと称せられる入力装置が配置され、液晶装置の画像表示領域に表示された画像を参照しながら情報の入力が行えるものがある。このような入力装置のうち、静電容量型入力装置は、入力装置用基板に形成された複数の入力位置検出用電極に結合している静電容量を監視する。従って、複数の入力位置検出用電極のうちのいずれかに指が近接すると、指が近接した入力位置検出用電極では、指との間に生じた静電容量分だけ、静電容量が増大するので、指が近接した電極を特定することができる。
【０００３】
このような静電容量型入力装置では、入力位置検出用電極に結合する容量変化を検出するため、入力装置用基板に対して入力操作側とは反対側から侵入した電磁波ノイズの影響を受けやすい。そこで、入力装置用基板の入力操作面側に入力位置検出用電極を設ける一方、入力装置用基板の入力操作面側とは反対側の面に重なるように、透明なシールド用基板やシールド電極層が形成された基板を設けることが提案されている（特許文献１参照）。
【先行技術文献】
【特許文献】
【０００４】
【特許文献１】特表２００３−５１１７９９号公報
【発明の概要】
【発明が解決しようとする課題】
【０００５】
ここに、本願発明者は、入力装置用基板の入力操作面側とは反対側に入力位置検出用電極を設けた静電容量型入力装置を検討しており、かかる構成によれば、入力装置用基板自身を透光性カバーとして利用できるので、入力装置用基板の入力操作面側に透光性カバーを別途、設ける必要がない等の利点がある。
【０００６】
しかしながら、入力装置用基板の入力操作面側とは反対側に入力位置検出用電極を設けた場合、入力装置用基板の入力操作面側とは反対側にシールド電極層を設けて電磁シールドを行なうと、入力位置検出用電極とシールド電極層との間に大きな容量が寄生するため、入力位置の検出感度が低下するという問題点がある。そこで、入力装置用基板の入力操作面側にシールド電極層を覆う絶縁層を堆積法や塗布法により無機膜や感光性樹脂層として成膜して入力位置検出用電極とシールド電極層とを離間させることが考えられるが、寄生する容量を十分低減できるほど厚い絶縁層を入力装置用基板上に堆積法や塗布法で成膜するのは困難である。
【０００７】
以上の問題点に鑑みて、本発明の課題は、入力装置用基板の入力操作面側とは反対側に入力位置検出用電極およびシールド電極を設けた場合でも、入力位置検出用電極とシールド電極層との間に大きな容量が寄生することを防止することができる静電容量型入力装置、および入力機能付き電気光学装置を提供することにある。
【課題を解決するための手段】
【０００８】
上記課題を解決するために、本発明に係る静電容量型入力装置は、入力操作が行われる第１面側とは反対側の第２面側に位置検出用電極を備えた入力装置用基板と、基材フィルム上にシールド電極層をもって前記入力装置用基板の第２面側に接着剤層により接着されたシールド用フィルムと、を有することを特徴とする。本発明における「接着」とは「粘着」も含む意味である。従って本発明における「接着剤層」とは「粘着剤層」も含む意味である。
【０００９】
本発明に係る静電容量型入力装置は、入力装置用基板の入力操作面側（第１面側）とは反対側（第２面側）に入力位置検出用電極を備えているため、入力装置用基板自身を透光性カバーとして利用できる等の利点がある。また、入力装置用基板の第２面側には、シールド電極層を備えたシールド用フィルムが設けられているため、入力位置検出用電極は電磁波ノイズの影響を受けにくい。ここで、シールド用フィルムと入力装置用基板とは、接着剤層によって貼り合わされており、シールド電極層と入力装置用基板との間には接着剤層が介在している。かかる接着剤層であれば、入力装置用基板に対して堆積法や塗布法により成膜した絶縁膜と違って厚くしやすいので、入力位置検出用電極とシールド電極層とを十分離間させることができる。従って、入力位置検出用電極とシールド電極層との間に寄生する容量が小さいので、高い感度を得ることができる。
【００１０】
本発明において、前記シールド用フィルムは、前記シールド電極層を前記基材フィルムに対して前記入力装置用基板が位置する側とは反対側に備えていることが好ましい。かかる構成によれば、シールド電極層と入力装置用基板の入力位置検出用電極との間には接着剤層および基材フィルムが介在しており、かかる接着剤層や基材フィルムであれば、入力装置用基板に対して堆積法や塗布法により成膜した絶縁膜と違って厚くしやすい。それ故、入力位置検出用電極とシールド電極層とを十分な距離を隔てて離間させることができる。よって、入力位置検出用電極とシールド電極層との間に寄生する容量が小さいので、高い感度を得ることができる。
【００１１】
本発明において、前記基材フィルムの厚さと前記接着剤層との厚さとの和は５０μｍ以上であることが好ましい。かかる厚さであれば、入力位置検出用電極とシールド電極層とを離間させることができるので、入力位置検出用電極とシールド電極層との間に寄生する容量に起因する感度低下を防止することができる。また、前記基材フィルムの厚さと前記接着剤層との厚さとの和が１００μｍから１５０μｍであることが好ましい。基材フィルムの厚さと接着剤層との厚さとの和が１００μｍ以上であれば、入力位置検出用電極とシールド電極層とを十分離間させることができるので、入力位置検出用電極とシールド電極層との間に寄生する容量に起因する感度低下を防止することができる。また、基材フィルムの厚さと接着剤層との厚さとの和が１５０μｍを超えても、それ以上、感度に対する寄与がない一方、静電容量型入力装置が無駄に厚くなる。従って、基材フィルムの厚さと接着剤層との厚さとの和は、１００μｍから１５０μｍであることが好ましい。
【００１２】
本発明において、前記シールド用フィルムは、前記基材フィルムの一方の面に前記接着剤層が予め形成され、他方の面に前記シールド電極層が予め形成されている接着剤層付きシールド用フィルムであることが好ましい。このように構成すると、入力装置用基板に対してシールド用フィルムを貼付するのが容易である。
【００１３】
本発明において、前記入力装置用基板の前記第２面側に部分的に重なるフレキシブル配線基板を備え、前記シールド用フィルムは、前記入力装置用基板において前記位置検出用電極が形成されている入力領域に重なる本体部分と、当該本体部分から前記フレキシブル配線基板と重なる位置に向けて突出した突出部と、を備え、前記シールド電極層は、前記突出部に形成されている部分が前記フレキシブル配線基板に電気的に接続されていることが好ましい。かかる構成によれば、シールド用フィルムのシールド電極層とフレキシブル配線基板とを電気的に接続する領域が狭く済む。
【００１４】
本発明において、前記入力装置用基板の前記第２面側には前記フレキシブル配線基板と電気的に接続される複数の位置検出用実装端子が設けられており、前記シールド用フィルムは、前記複数の位置検出用実装端子が設けられている領域を挟む両側に前記突出部を備えていることが好ましい。かかる構成によれば、シールド用フィルムのシールド電極層とフレキシブル配線基板とを確実に電気的に接続することができる。
【００１５】
本発明を適用した静電容量型入力装置は、入力機能付き電気光学装置を構成するのに用いることができ、この場合、前記位置検出用電極、前記入力装置用基板、前記基材フィルム、前記シールド電極層および前記接着剤層は透光性を備え、入力機能付き電気光学装置は、前記シールド用フィルムに対して前記入力装置用基板が位置する側とは反対側に画像生成用の電気光学パネルが配置された構成を有している。かかる入力機能付き電気光学装置は、携帯電話、カーナビゲーション、パーソナルコンピューター、券売機、銀行の端末等の電子機器に用いられる。
【図面の簡単な説明】
【００１６】
【図１】本発明の実施の形態１に係る入力機能付き電気光学装置の説明図である。
【図２】本発明の実施の形態１に係る静電容量型入力装置の入力装置用基板の構成を示す説明図である。
【図３】本発明の実施の形態１に係る静電容量型入力装置の説明図である。
【図４】本発明の実施の形態１に係る静電容量型入力装置において電気的に接続される部材の説明図である。
【図５】本発明の実施の形態１に係る静電容量型入力装置において入力装置用基板に対してフレキシブル配線基板を実装した部分周辺の説明図である。
【図６】本発明の実施の形態２に係る入力機能付き電気光学装置の説明図である。
【図７】本発明の実施の形態２に係る静電容量型入力装置の説明図である。
【図８】本発明の実施の形態２に係る静電容量型入力装置において電気的に接続される部材の説明図である。
【図９】本発明の実施の形態２に係る静電容量型入力装置において入力装置用基板に対してフレキシブル配線基板を実装した部分周辺の説明図である。
【図１０】本発明を適用した入力機能付き電気光学装置を備えた電子機器の説明図である。
【発明を実施するための形態】
【００１７】
図面を参照して、本発明の実施の形態を説明する。なお、以下の説明で参照する図においては、各層や各部材を図面上で認識可能な程度の大きさとするため、各層や各部材毎に縮尺を異ならしめてある。また、以下の説明では、互いに直交する方向をＸ軸（Ｘ方向）、Ｙ軸（Ｙ方向）およびＺ軸（Ｚ方向）とし、Ｚ方向で入力操作側を＋Ｚとし、入力操作側とは反対側を−Ｚとして説明する。
【００１８】
［実施の形態１］
（入力機能付き電気光学装置の全体構成）
図１は、本発明の実施の形態１に係る入力機能付き電気光学装置の説明図であり、図１（ａ）、（ｂ）は、入力機能付き電気光学装置の外観を模式的に示す説明図、および入力機能付き電気光学装置の断面構成を模式的に示す説明図である。
【００１９】
図１において、本形態の入力機能付き電気光学装置１００は、概ね、液晶装置等からなる画像生成装置５と、この画像生成装置５において表示光を出射する側の面に重ねて配置された静電容量型入力装置１とを有している。静電容量型入力装置１は入力パネル２を備え、画像生成装置５は電気光学パネル５ａ（表示パネル）としての液晶パネルを備えている。入力パネル２および電気光学パネル５ａはいずれも矩形の平面形状を備えており、入力パネル２を平面視したときの中央領域が入力領域２ａである。また、電気光学パネル５ａにおいて入力領域２ａと平面視で重なる領域が画像形成領域である。
【００２０】
静電容量型入力装置１において、入力パネル２に用いた入力装置用基板２０の４つの端部２０ｅ〜２０ｈのうち、端部２０ｅが位置する側にはフレキシブル配線基板３５が接続され、電気光学パネル５ａにおいて端部２０ｅが位置する側にはフレキシブル配線基板７３が接続されている。静電容量型入力装置１では、入力パネル２での入力操作を検出するための制御用のＩＣ（図示せず）がフレキシブル配線基板３５を介して入力装置用基板２０に電気的に接続されている。
【００２１】
本形態において、入力パネル２と電気光学パネル５ａとの間には透光性のシールド用フィルム８が配置されており、シールド用フィルム８は、入力パネル２における入力操作側とは反対側（電気光学パネル５ａ）から侵入しようとする電磁波ノイズを阻止する機能を担っている。かかるシールド用フィルム８の構成は後述する。
【００２２】
画像生成装置５は、透過型や半透過反射型のアクティブマトリクス型の液晶表示装置であり、電気光学パネル５ａに対して入力パネル２が配置されている側とは反対側（表示光の出射側とは反対側）にはバックライト装置（図示せず）が配置されている。バックライト装置は、例えば、電気光学パネル５ａに対して入力パネル２が配置されている側とは反対側に重ねて配置された透光性の導光板と、導光板の側端部に向けて白色光等を出射する発光ダイオード等の光源とを備えており、光源から出射された光は、導光板の側端部から入射した後、導光板内を伝搬しながら電気光学パネル５ａに向けて出射される。導光板と電気光学パネル５ａとの間には、光散乱シートやプリズムシート等のシート状光学部材が配置されることもある。
【００２３】
画像生成装置５において、電気光学パネル５ａに対して表示光の出射側には第１偏光板５１が重ねて配置され、その反対側に第２偏光板５２が重ねて配置されている。第１偏光板５１および第２偏光板５２は電気光学パネル５ａにアクリル樹脂系等といった透光性の接着剤（図示せず）によって接着されている。また、第１偏光板５１とシールド用フィルム８とは、アクリル樹脂系等といった透光性の接着剤（図示せず）によって接着されている。電気光学パネル５ａは、表示光の出射側（入力操作側）に配置された透光性の対向基板６０と、この対向基板６０に対して対向配置された透光性の素子基板５０とを備えている。対向基板６０と素子基板５０とは、矩形枠状のシール材７１により貼り合わされており、対向基板６０と素子基板５０との間においてシール材７１で囲まれた領域内に液晶層５５が保持されている。素子基板５０において、対向基板６０と対向する面には複数の画素電極５８がＩＴＯ（Indium Tin Oxide）膜やＩＺＯ（Indium Zinc Oxide）膜等の透光性導電膜により形成され、対向基板６０において、素子基板５０と対向する面には共通電極６８がＩＴＯ膜等の透光性導電膜により形成されている。なお、画像生成装置５がＩＰＳ(In Plane Switching)方式や、ＦＦＳ（Fringe Field Switching）方式である場合、共通電極６８は素子基板５０の側に設けられる。また、素子基板５０が対向基板６０に対して表示光の出射側に配置されることもある。素子基板５０において、対向基板６０の縁から張り出した張出領域５９には駆動用ＩＣ７５がＣＯＧ実装されているとともに、張出領域５９にはフレキシブル配線基板７３が接続されている。なお、素子基板５０には、素子基板５０上のスイッチング素子と同時に駆動回路を形成することもある。
【００２４】
（静電容量型入力装置１の構成）
静電容量型入力装置１において、入力パネル２は、ガラス板やプラスチック板等からなる透光性の入力装置用基板２０を備えており、本形態では、入力装置用基板２０としてガラス基板が用いられている。なお、入力装置用基板２０をプラスチック材料から構成する場合、プラスチック材料としては、ＰＥＴ（ポリエチレンテレフタレート）、ＰＣ（ポリカーボネート）、ＰＥＳ（ポリエーテルスルホン）、ＰＩ（ポリイミド）、ポリノルボルネン等の環状オレフィン樹脂等の耐熱性の透光性シートを用いることができる。
【００２５】
入力装置用基板２０において入力操作側に位置する基板面は第１面２０ａであり、入力操作側とは反対側に位置する基板面は第２面２０ｂである。本形態において、入力装置用基板２０の第２面２０ｂには、入力装置用基板２０からみて下層側から上層側に向かって透光性の下層側導電膜４ａ、透光性の層間絶縁膜２１４、透光性の上層側導電膜４ｂ、および透光性の表面保護膜２６がこの順に形成されており、下層側導電膜４ａおよび上層側導電膜４ｂのうち、下層側導電膜４ａによって入力位置検出用電極２１が形成されている。また、上層側導電膜４ｂによって中継電極２１５が形成されている。入力装置用基板２０の端部２０ｅには、第２面２０ｂに位置検出用実装端子２４ａが形成されており、かかる位置検出用実装端子２４ａに対してフレキシブル配線基板３５が電気的に接続されている。
【００２６】
入力装置用基板２０の第１面２０ａあるいは第２面２０ｂには、入力領域２ａより外周側に相当する外側領域２ｂに絶縁性の遮光層（図示せず）が印刷されることがあり、かかる遮光層で囲まれた領域が入力領域２ａとなる。遮光層は、電気光学パネル５ａの外側領域と重なっており、画像生成装置５の光源や導光板の端部から漏れた光を遮断する。
【００２７】
（入力装置用基板２０の構成）
図２は、本発明の実施の形態１に係る静電容量型入力装置１の入力装置用基板２０の構成を示す説明図であり、図２（ａ）、（ｂ）は、入力装置用基板２０の平面図およびそのＡ１−Ａ１′断面図である。なお、図２（ｂ）では、図１と違って入力操作側（入力装置用基板２０の第１面２０ａ）を下側にして表してある。また、図２（ａ）には、下層側導電膜４ａを一点鎖線、層間絶縁膜２１４を点線、上層側導電膜４ｂを実線で示してある。また、図２（ａ）において、入力領域２ａについては、その角部分の位置を英文字の「Ｌ」状のマークで示してある。
【００２８】
図２に示すように、本形態の静電容量型入力装置１において、入力装置用基板２０の第２面２０ｂの側には、入力装置用基板２０からみて下層側から上層側に向けて下層側導電膜４ａ、層間絶縁膜２１４、上層側導電膜４ｂおよび表面保護膜２６がこの順に形成されている。本形態において、下層側導電膜４ａおよび上層側導電膜４ｂは、膜厚が１０〜４０ｎｍのＩＴＯ膜やＩＺＯ膜等の透光性導電膜からなり、層間絶縁膜２１４および表面保護膜２６は、膜厚が２００〜６００ｎｍのシリコン酸化膜や、感光性樹脂等からなる透光性絶縁膜である。入力装置用基板２０の第２面２０ｂには、その全面にシリコン酸化膜等からなる透光性の下地保護膜が形成されている場合があり、この場合、下地保護膜上に下層側導電膜４ａ、層間絶縁膜２１４、上層側導電膜４ｂおよび表面保護膜２６がこの順に積層されることになる。かかる静電容量型入力装置１を構成するには、下層側導電膜４ａ、層間絶縁膜２１４および上層側導電膜４ｂを所定のパターンで形成していく。
【００２９】
下層側導電膜４ａは、まず、入力領域２ａに複数の菱形領域として形成され、かかる菱形領域は、入力位置検出用電極２１（第１入力位置検出用電極２１１および第２入力位置検出用電極２１２）のパッド部２１１ａ、２１２ａ（大面積部分）を構成する。これらのパッド部２１１ａ、２１２ａは、Ｘ方向およびＹ方向において交互に配列されている。複数のパッド部２１１ａにおいてＸ方向（第１方向）で隣り合うパッド部２１１ａ同士は連結部分２１１ｃを介して繋がっており、パッド部２１１ａおよび連結部分２１１ｃは、Ｘ方向で延在する第１入力位置検出用電極２１１を構成している。また、複数のパッド部２１２ａは、Ｙ方向（第２方向）で延在する第２入力位置検出用電極２１２も構成しているが、Ｙ方向で隣り合うパッド部２１２ａの間（連結部分２１１ｃと重なる部分）は途切れ部分２１８ａになっている。
【００３０】
また、下層側導電膜４ａは、入力領域２ａの外側領域２ｂにおいて、入力位置検出用電極２１（第１入力位置検出用電極２１１および第２入力位置検出用電極２１２）から延在した複数の配線２７として形成されているとともに、端部２０ｅ付近において複数の位置検出用実装端子２４ａとして形成されている。
【００３１】
層間絶縁膜２１４は、入力領域２ａ全体に形成されている。また、層間絶縁膜２１４は、入力領域２ａの外側領域２ｂにも形成されている。層間絶縁膜２１４には、コンタクトホール２１４ａが形成されており、かかるコンタクトホール２１４ａは、パッド部２１２ａにおいて途切れ部分２１８ａを介して対峙する端部と重なる位置に形成されている。
【００３２】
上層側導電膜４ｂは、入力領域２ａにおいて、コンタクトホール２１４ａと重なる領域に中継電極２１５として形成されている。また、上層側導電膜４ｂは、配線２７および位置検出用実装端子２４ａの形成領域にも形成されており、配線２７および位置検出用実装端子２４ａは、下層側導電膜４ａと上層側導電膜４ｂとの２層構造からなる。なお、配線２７においては、下層側導電膜４ａと上層側導電膜４ｂとの層間、あるいは上層側導電膜４ｂの上層にクロム、銀、アルミニウム、銀−アルミニウム合金等の金属層が形成されることがあり、かかる多層構造を採用すれば、配線２７の配線抵抗を低減することができる。
【００３３】
このように構成した下層側導電膜４ａ、層間絶縁膜２１４および上層側導電膜４ｂを重ねると、入力領域２ａの内側には複数の入力位置検出用電極２１が形成される。本形態において、入力位置検出用電極２１は、Ｘ方向に延在する複数列の第１入力位置検出用電極２１１と、Ｙ方向に延在する複数列の第２入力位置検出用電極２１２とからなる。入力位置検出用電極２１（第１入力位置検出用電極２１１および第２入力位置検出用電極２１２）は、下層側導電膜４ａおよび上層側導電膜４ｂのうち、下層側導電膜４ａにより形成されており、同一層からなる。このため、入力装置用基板２０の第２面２０ｂには、第１入力位置検出用電極２１１と第２入力位置検出用電極２１２との交差部分２１８が複数、存在する。ここで、第１入力位置検出用電極２１１は、交差部分２１８でも下層側導電膜４ａからなる連結部分２１１ｃによってＸ方向で繋がって延在しているのに対して、第２入力位置検出用電極２１２には交差部分２１８に途切れ部分２１８ａが構成されている。但し、交差部分２１８では、層間絶縁膜２１４の上層に、上層側導電膜４ｂからなる中継電極２１５が形成されており、かかる中継電極２１５は、層間絶縁膜２１４のコンタクトホール２１４ａを介して、途切れ部分２１８ａを介して隣り合うパッド２１２ａ同士を電気的に接続している。このため、第２入力位置検出用電極２１２はＹ方向で電気的に接続されている。なお、中継電極２１５は、層間絶縁膜２１４を介して連結部分２１１ｃに重なっているため、短絡するおそれはない。
【００３４】
このように構成した第１入力位置検出用電極２１１および第２入力位置検出用電極２１２は各々、交差部分２１８で挟まれた領域に矩形の大面積のパッド部２１１ａ、２１２ａを備えており、第１入力位置検出用電極２１１において交差部分２１８に位置する連結部分２１１ｃは、パッド部２１１ａ、２１２ａより幅の狭い細幅形状になっている。また、中継電極２１５も、パッド部２１１ａ、２１２ａより幅の狭い細幅形状に形成されている。
【００３５】
（シールド構造）
図１および図３を参照して、入力装置用基板２０（入力パネル２）に対するシールド構造を説明する。図３は、本発明の実施の形態１に係る静電容量型入力装置１の説明図であり、図３（ａ）、（ｂ）は、静電容量型入力装置１の分解斜視図、および入力装置用基板２０にシールド用フィルム８を重ねた状態を示す断面図である。なお、図３でも、図２（ｂ）と同様、入力操作側（入力装置用基板２０の第１面２０ａ）を下側にして表してある。また、図３（ａ）では、入力位置検出用電極２１や配線２７等の図示は省略してある。
【００３６】
図１および図３に示すように、本形態の静電容量型入力装置１では、入力装置用基板２０の第２面２０ｂには、入力位置検出用電極２１および配線２７（図３では図示せず）とともに、複数の位置検出用実装端子２４ａが形成されている。また、入力装置用基板２０の第２面２０ｂ側には、透光性のシールド用フィルム８が重ねて配置されている。
【００３７】
シールド用フィルム８は、入力装置用基板２０に重なる大きさの透光性の基材フィルム８１と、基材フィルム８１において入力装置用基板２０が位置する一方面側８１ａの全体に形成された透光性の接着剤層８２と、基材フィルム８１において入力装置用基板２０が位置する側とは反対側の他方面側８１ｂの全体に形成された透光性のシールド電極層８３とを備えている。ここで、シールド用フィルム８は、基材フィルム８１の一方面側８１ａに接着剤層８２が予め形成され、基材フィルム８１の他方面側８１ｂにシールド電極層８３が予め形成されている接着剤層付きシールド用フィルムである。かかるシールド用フィルム８において、基材フィルム８１はＰＥＴ等の絶縁性の樹脂フィルムからなり、接着剤層８２は、アクリル樹脂系粘着剤等の絶縁性の粘着剤層からなる。シールド電極層８３は、ＩＴＯやＩＺＯ等の透光性導電膜からなる。
【００３８】
かかるシールド用フィルム８は、接着剤層８２によって入力装置用基板２０の第２面２０ｂ側に接着固定されている。また、シールド電極層８３は、図４および図５を参照して後述するように、フレキシブル配線基板３５を介してシールド電位が印加されている。このため、図１に示すように、入力パネル２（入力装置用基板２０）と電気光学パネル５ａとの間にはシールド用フィルム８のシールド電極層８３が介在しており、シールド電極層８３は、入力パネル２における入力操作側とは反対側（電気光学パネル５ａ）から侵入しようとする電磁波ノイズを阻止する。
【００３９】
ここで、シールド用フィルム８は、接着剤層８２によって入力装置用基板２０の第２面２０ｂ側に接着固定され、基材フィルム８１に対して入力装置用基板２０が位置する側とは反対側にシールド電極層８３を備えている。従って、シールド電極層８３と入力装置用基板２０の入力位置検出用電極２１との間には、表面保護膜２６等に加えて、接着剤層８２および基材フィルム８１が介在している。しかも、接着剤層８２や基材フィルム８１であれば、入力装置用基板２０に対して堆積法や塗布法により成膜した表面保護膜２６と違って厚くしやすい。
【００４０】
より具体的には、表面保護膜２６は、最も厚く形成したとしても１．５μｍから６μｍが上限であるのに対して、基材フィルム８１は２５μｍから１８８μｍまで厚くでき、接着剤層８２は、２５μｍまで厚くできる。このため、基材フィルム８１の厚さと接着剤層８２との厚さとの和は５０μｍ以上であり、表面保護膜２６に比してかなり厚い。本形態において、基材フィルム８１の厚さは７５μｍから１２５μｍであり、接着剤層８２の厚さは２５μｍである。このため、本形態では、基材フィルム８１の厚さと接着剤層８２との厚さとの和は１００μｍから１５０μｍに設定されている。従って、入力位置検出用電極２１とシールド電極層８３とを十分な距離を隔てて離間させることができるので、入力位置検出用電極２１とシールド電極層８３との間に寄生する容量が小さい。それ故、本形態の静電容量型入力装置１では、入力位置検出用電極２１とシールド電極層８３との間に寄生する容量に起因する感度低下が発生しないので、静電容量型入力装置１の感度が高い。
【００４１】
（シールド電極層８３とフレキシブル配線基板３５との電気的な接続構造）
図１〜図３に加えて、図４および図５を参照して、入力装置用基板２０、フレキシブル配線基板３５およびシールド用フィルム８の電気的な接続構造等を説明する。
【００４２】
図４は、本発明の実施の形態１に係る静電容量型入力装置１において電気的に接続される部材の説明図であり、図４（ａ）、（ｂ）、（ｃ）は、入力装置用基板２０の端子配列領域の平面的な構成を拡大して示す説明図、シールド用フィルム８の突出部の平面的な構成を拡大して示す説明図、およびフレキシブル配線基板３５の平面的な構成を拡大して示す説明図である。なお、図４（ａ）、（ｃ）には、シールド用フィルム８と重なる領域を一点鎖線で示してある。
【００４３】
図５は、本発明の実施の形態１に係る静電容量型入力装置１において入力装置用基板２０に対してフレキシブル配線基板３５を実装した部分周辺の説明図であり、図５（ａ）、（ｂ）、（ｃ）、（ｄ）は、入力装置用基板２０の実装部分の平面図、Ｂ１−Ｂ１′断面図、Ｃ１−Ｃ１′断面図、およびＤ１−Ｄ１′断面図である。なお、図５（ｂ）、（ｃ）、（ｄ）には、実装の際に用いた圧着ヘッド等も図示してある。また、図５（ａ）では、フレキシブル配線基板３５の構成要素を実線で示し、入力装置用基板２０の構成要素を一点鎖線で示し、シールド用フィルム８を二点鎖線で示してある。また、図５でも、図２（ｂ）と同様、入力操作側（入力装置用基板２０の第１面２０ａ）を下側にして表してある。
【００４４】
図１、図２（ａ）、図３、図４（ａ）および図５に示すように、入力装置用基板２０の第２面２０ｂには、複数の位置検出用実装端子２４ａが端部２０ｅに沿って配列された端子配列領域２４０が構成されている。図１、図３、図４（ｃ）および図５に示すように、フレキシブル配線基板３５は、入力装置用基板２０の端子配列領域２４０およびその両側領域に重なる重なり部分３５０を備えている。かかる重なり部分３５０には、位置検出用実装端子２４ａと重なる領域に端子３５ａが形成されており、端子３５ａは、フレキシブル配線基板３５の基材フィルム３５ｆ上に形成された配線３５１ａの端部からなる。このように構成したフレキシブル配線基板３５は、後述する実装工程を行なえば、位置検出用実装端子２４ａとフレキシブル配線基板３５の端子３５ａとが電気的に接続される。
【００４５】
本形態では、図３、図４および図５を参照して以下に説明するように、シールド用フィルム８のシールド電極層８３にシールド電位を印加するにあたってフレキシブル配線基板３５を用いる。具体的には、まず、シールド用フィルム８は、入力装置用基板２０の入力領域２ａと重なる大面積の本体部８０と、本体部８０から帯状に延在する２つの突出部８５とを備えており、かかる本体部８０および突出部８５のいずれにも、接着剤層８２およびシールド電極層８３が形成されている。２つの突出部８５は、フレキシブル配線基板３５と重なる部分まで突出しており、入力装置用基板２０の第２面２０ｂにおいて位置検出用実装端子２４ａの端子配列領域２４０の両側領域に重なっている。この状態で、突出部８５では、入力装置用基板２０が位置する側に接着剤層８２が位置し、入力装置用基板２０が位置する側とは反対側にシールド電極層８３が位置する。このため、突出部８５は、接着剤層８２によって入力装置用基板２０の第２面２０ｂに接着固定されている。また、入力装置用基板２０の本体部８０は、接着剤層８２によって入力装置用基板２０の第２面２０ｂに接着固定されている。
【００４６】
ここで、入力装置用基板２０の第２面２０ｂでは、位置検出用実装端子２４ａの端子配列領域２４０の両側領域（シールド用フィルム８の突出部８５と重なる領域）には実装端子が形成されていない。これに対して、フレキシブル配線基板３５において、位置検出用実装端子２４ａの端子配列領域２４０の両側領域と重なる領域（シールド用フィルム８の突出部８５と重なる領域）には端子３５ｂが形成されている。かかる端子３５ｂは、フレキシブル配線基板３５の基材フィルム３５ｆ上に形成された配線３５１ｂの端部からなる。
【００４７】
このように構成した入力装置用基板２０、フレキシブル配線基板３５、およびシールド用フィルム８を用いれば、以下に説明する実装工程を行なうことにより、図５（ｂ）、（ｃ）、（ｄ）に示すように、フレキシブル配線基板３５の端子３５ａと、入力装置用基板２０の位置検出用実装端子２４ａとを異方性導電材４０によって電気的に接続することができる。また、フレキシブル配線基板３５の端子３５ｂと、シールド用フィルム８の突出部８５に形成されているシールド電極層８３とを異方性導電材４０によって電気的に接続することができる。
【００４８】
（静電容量型入力装置１の製造方法／実装工程）
図３、図４および図５を参照して、本形態の静電容量型入力装置１の製造方法のうち、入力装置用基板２０にフレキシブル配線基板３５を実装する工程を説明しながら、本形態の静電容量型入力装置１におけるシールド用フィルム８とフレキシブル配線基板３５との電気的な接続構造を説明する。
【００４９】
本形態の静電容量型入力装置１を製造するにあたって、実装工程では、まず、図３（ａ）、（ｂ）に示すように、入力装置用基板２０の第２面２０ｂにシールド用フィルム８の本体部８０を接着剤層８２によって接着固定するとともに、突出部８５を接着剤層８２によって入力装置用基板２０の第２面２０ｂに接着固定する。
【００５０】
次に、図５（ｂ）、（ｃ）、（ｄ）に示すように、入力装置用基板２０の端子配列領域２４０、およびシールド用フィルム８の突出部８５を覆うように液状の異方性導電材４０を塗布する。あるいは、入力装置用基板２０の端子配列領域２４０および突出部８５を覆うようにシート状の異方性導電材４０を重ねる。かかる異方性導電材４０は、樹脂４１内に導電粒子４２が分散された構成を有している。次に、異方性導電材４０を介して入力装置用基板２０の端子配列領域２４０および突出部８５を覆うようにフレキシブル配線基板３５の端部（重なり部分３５０）を重ねる。
【００５１】
次に、圧着ヘッド４５によってフレキシブル配線基板３５を加熱しながら、フレキシブル配線基板３５を入力装置用基板２０に押し付ける。その際、圧着ヘッド４５とフレキシブル配線基板３５との間にはフッ素樹脂系のシート等といった弾性部材４６を挿入しておく。次に、異方性導電材４０を固化させて、異方性導電材４０によってフレキシブル配線基板３５を入力装置用基板２０の端子配列領域２４０に固定するとともに、異方性導電材４０によってフレキシブル配線基板３５と突出部８５とを固定する。しかる後には、圧着ヘッド４５および弾性部材４６を取り外す。
【００５２】
その結果、フレキシブル配線基板３５の端子３５ａと、入力装置用基板２０の位置検出用実装端子２４ａとを異方性導電材４０によって電気的に接続することができる。また、フレキシブル配線基板３５の端子３５ｂと、シールド用フィルム８の突出部８５に形成されているシールド電極層８３とを異方性導電材によって電気的に接続することができる。従って、シールド用フィルム８のシールド電極層８３全体を突出部８５でフレキシブル配線基板３５の端子３５ｂおよび配線３５１ｂに電気的に接続することができる。それ故、フレキシブル配線基板３５を介してシールド電極層８３にシールド電位を印加することができる。
【００５３】
（入力位置検出等の動作）
図１（ｂ）に示すように、本形態の静電容量型入力装置１では、入力パネル２の位置検出用実装端子２４ａに対してフレキシブル配線基板３５が接続される。この状態で、フレキシブル配線基板３５を介して入力装置用基板２０にパルス状の位置検出信号を順次出力する。従って、入力位置検出用電極２１に容量が寄生していない場合、入力装置用基板２０に出力したパルス状の位置検出信号と同一波形あるいは略同一波形の信号が検出される。
【００５４】
これに対して、入力位置検出用電極２１に容量が寄生していると、容量に起因する波形の歪みが発生するので、入力位置検出用電極２１に容量が寄生しているか否かを検出することができる。それ故、本形態では、複数の入力位置検出用電極２１に順次、位置検出信号を出力して入力位置検出用電極２１の各々に対して、結合している静電容量を監視する。よって、複数の入力位置検出用電極２１のうちのいずれかに指が近接すると、指が近接した入力位置検出用電極２１では、指との間に生じた静電容量分だけ、静電容量が増大するので、指が近接した電極を特定することができる。
【００５５】
かかる位置検出動作を行う際、フレキシブル配線基板３５を介してシールド用フィルム８にシールド電位を出力する。このため、入力パネル２（入力装置用基板２０）に対して入力操作側とは反対側に位置する電気光学パネル５ａから入力パネル２に電磁波ノイズが侵入しようとしても、かかる電磁波ノイズは、シールド用フィルム８のシールト電極層８３によって遮断される。このため、入力パネル２では、電磁波ノイズに起因する誤作動が発生しにくい。
【００５６】
（本形態の主な効果）
以上説明したように、本形態の静電容量型入力装置１および入力機能付き電気光学装置１００では、入力装置用基板２０の入力操作面側（第１面２０ａ側）とは反対側（第２面２０ｂ側）に入力位置検出用電極２１を備えているため、入力装置用基板２０自身を透光性カバーとして利用できる等の利点がある。
【００５７】
また、入力装置用基板２０の第２面２０ｂ側には、シールド電極層８３を備えたシールド用フィルム８が重ねて配置されているため、入力位置検出用電極２１は電磁波ノイズの影響を受けにくい。ここで、シールド用フィルム８と入力装置用基板２０とは、接着剤層８２によって貼り合わされており、シールド電極層８３と入力装置用基板２０との間には接着剤層８２が介在している。かかる接着剤層８２であれば、入力装置用基板２０に対して堆積法や塗布法により成膜した表面保護膜２６と違って厚くしやすいので、入力位置検出用電極２１とシールド電極層８３とを離間させることができる。
【００５８】
しかも、シールド用フィルム８は、シールド電極層８３を基材フィルム８１に対して入力装置用基板２０が位置する側とは反対側に備えている。このため、シールド電極層８３と入力装置用基板２０の入力位置検出用電極２１との間には接着剤層８２および基材フィルム８１が介在しているので、入力位置検出用電極２１とシールド電極層８３とを５０μｍ以上という十分な距離を隔てて離間させることができる。また、本形態では、下層側導電膜４ａにより入力位置検出用電極２１（パッド部）を形成したため、入力位置検出用電極２１とシールド電極層８３との間には層間絶縁膜２１４も介在する。このため、入力位置検出用電極２１とシールド電極層８３との間に寄生する容量を十分小さくすることができるので、高い位置検出感度を得ることができる。
【００５９】
また、本形態では、基材フィルム８１の厚さと接着剤層８２との厚さとの和が、１００μｍから１５０μｍに設定されている。基材フィルム８１の厚さと接着剤層８２との厚さとの和が１００μｍ以上であれば、入力位置検出用電極２１とシールド電極層８３とを十分離間させることができるので、入力位置検出用電極２１とシールド電極層８３との間に寄生する容量に起因する感度低下を確実に防止することができる。なお、基材フィルム８１の厚さと接着剤層８２との厚さとの和が１５０μｍを超えても、それ以上、感度に対する寄与がない一方、静電容量型入力装置１が無駄に厚くなる。ここに、本形態では、基材フィルム８１の厚さと接着剤層８２との厚さとの和が１００μｍから１５０μｍに設定されているため、静電容量型入力装置１を無駄に厚くすることなく、入力位置検出用電極２１とシールド電極層８３との間に寄生する容量に起因する感度低下を防止することができる。
【００６０】
また、本形態では、シールド用フィルム８は、フレキシブル配線基板３５と重なる位置に向けて突出した突出部８５を備えており、シールド電極層８３は、突出部８５に形成されている部分がフレキシブル配線基板３５に電気的に接続されている。このため、シールド用フィルム８のシールド電極層８３とフレキシブル配線基板３５とを電気的に接続する領域が狭く済む。また、端子配列領域２４０を避けるようにシールド用フィルム８を配置することができるので、位置検出用端子２４ａとフレキシブル配線基板３５とを電気的に接続する際、シールド用フィルム８が邪魔にならなる。さらに、シールド用フィルム８は、複数の位置検出用実装端子２４ａが設けられている端子配列領域２４０を挟む両側に向けて突出した２本の突出部８５を備えているため、シールド用フィルム８のシールド電極層８３とフレキシブル配線基板３５とを確実に電気的に接続することができる。
【００６１】
また、本形態では、フレキシブル配線基板３５を圧着ヘッド４５により入力装置用基板２０に押圧して、位置検出用実装端子２４ａとフレキシブル配線基板３５との電気的な接続と、突出部８５でのシールド電極層８３とフレキシブル配線基板３５との電気的な接続とを同時に行なう際、フレキシブル配線基板３５および突出部８５と、圧着ヘッド４５との間に弾性部材４６を介在させておく。このため、入力装置用基板２０の第２面２０ｂ側において、シールド用フィルム８の厚さと、入力装置用基板２０の位置検出用実装端子２４ａの厚さとが相違している場合でも、かかる厚さの差を弾性部材４６の変形によって吸収することができる。従って、フレキシブル配線基板３５を入力装置用基板２０の位置検出用実装端子２４ａに電気的に接続する際、フレキシブル配線基板３５をシールド用フィルム８の突出部８５に確実に電気的に接続することができる。
【００６２】
また、シールド用フィルム８は、シールド用フィルム８を入力装置用基板２０の第２面２０ｂ側に接着する接着剤層８２を予め備えているため、突出部８５を接着剤層８２によって入力装置用基板２０の第１面２０ａ側に接着することができる。このため、フレキシブル配線基板３５をシールド用フィルム８の突出部８５に電気的に接続する際、シールド用フィルム８の突出部８５を入力装置用基板２０に固定しておけるので、フレキシブル配線基板３５をシールド用フィルム８の突出部８５に容易かつ確実に電気的に接続することができる。
【００６３】
［実施の形態２］
（入力機能付き電気光学装置の全体構成）
図６は、本発明の実施の形態２に係る入力機能付き電気光学装置の説明図であり、図６（ａ）、（ｂ）は、入力機能付き電気光学装置の外観を模式的に示す説明図、および入力機能付き電気光学装置の断面構成を模式的に示す説明図である。なお、本形態の基本的な構成は、実施の形態１と略形態同様であるため、共通する部分には同一の符号を付して図示し、それらの説明を省略する。
【００６４】
図６に示すように、本形態の入力機能付き電気光学装置１００も、実施の形態１と同様、液晶装置等からなる画像生成装置５と、この画像生成装置５において表示光を出射する側の面に重ねて配置された静電容量型入力装置１とを有している。
【００６５】
静電容量型入力装置１において、入力パネル２は、ガラス板やプラスチック板等からなる透光性の入力装置用基板２０を備えており、本形態では、入力装置用基板２０としてガラス基板が用いられている。入力装置用基板２０において、入力操作側に位置する第１面２０ａとは反対側の第２面２０ｂ側には、入力装置用基板２０からみて下層側から上層側に向かって下層側導電膜４ａ、層間絶縁膜２１４、上層側導電膜４ｂおよび表面保護膜２６が形成されており、下層側導電膜４ａによって入力位置検出用電極２１が形成されている。また、入力装置用基板２０の端部２０ｅには、第２面２０ｂに位置検出用実装端子２４ａが形成されており、かかる位置検出用実装端子２４ａに対してフレキシブル配線基板３５が電気的に接続されている。
【００６６】
（シールド構造）
図７は、本発明の実施の形態２に係る静電容量型入力装置１の説明図であり、図７（ａ）、（ｂ）は、静電容量型入力装置１の分解斜視図、および入力装置用基板２０にシールド用フィルム８を重ねた状態を示す断面図である。なお、図７でも、図２（ｂ）等と同様、入力操作側（入力装置用基板２０の第１面２０ａ）を下側にして表してある。図７では、入力位置検出用電極２１や配線２７等の図示は省略してある。
【００６７】
図６および図７に示すように、本形態の静電容量型入力装置１においても、実施の形態１と同様、入力装置用基板２０の第２面２０ｂ側には、透光性のシールド用フィルム８が重ねて配置されている。
【００６８】
本形態において、シールド用フィルム８は、実施例１と違って、基材フィルム８１において入力装置用基板２０が位置する一方面側８１ａにシールド電極層８３および接着剤層８２がこの順に接続された構造を備えており、基材フィルム８１の他方面側８１ｂにはシールド電極層８３が形成されていない。基材フィルム８１はＰＥＴ等の透光性の樹脂フィルムからなり、接着剤層８２は、アクリル樹脂系粘着剤等の透光性の粘着剤層からなる。シールド電極層８３は、ＩＴＯやＩＺＯ等の透光性導電膜からなる。
【００６９】
かかるシールド用フィルム８は、接着剤層８２によって入力装置用基板２０の第２面２０ｂ側に接着固定されている。また、シールド電極層８３は、図８および図９を参照して後述するように、フレキシブル配線基板３５を介してシールド電位が印加されている。このため、図６に示すように、入力パネル２（入力装置用基板２０）と電気光学パネル５ａとの間にはシールド用フィルム８のシールド電極層８３が介在しているので、シールド電極層８３は、入力パネル２における入力操作側とは反対側（電気光学パネル５ａ）から侵入しようとする電磁波ノイズを阻止する。
【００７０】
ここで、シールド用フィルム８は、接着剤層８２によって入力装置用基板２０の第２面２０ｂ側に接着固定されているため、シールド電極層８３と入力装置用基板２０の入力位置検出用電極２１との間には、表面保護膜２６等に加えて、接着剤層８２が介在している。かかる接着剤層８２であれば、入力装置用基板２０に対して堆積法や塗布法により成膜した表面保護膜２６と違って厚くしやすい。
【００７１】
すなわち、表面保護膜２６は、最も厚く形成したとしても１．５μｍから６μｍが上限であるのに対して、接着剤層８２であれば２５μｍ以上まで厚くすることができる。従って、入力位置検出用電極２１とシールド電極層８３とを十分な距離を隔てて離間させることができるので、入力位置検出用電極２１とシールド電極層８３との間に寄生する容量が小さい。それ故、本形態の静電容量型入力装置１では、入力位置検出用電極２１とシールド電極層８３との間に寄生する容量に起因する感度低下が発生しないので、静電容量型入力装置１の感度が高い。
【００７２】
（シールド電極層８３とフレキシブル配線基板３５との電気的な接続構造）
図８は、本発明の実施の形態３に係る静電容量型入力装置１において電気的に接続される部材の説明図であり、図８（ａ）、（ｂ）、（ｃ）は、入力装置用基板２０の端子配列領域の平面的な構成を拡大して示す説明図、シールド用フィルム８の突出部の平面的な構成を拡大して示す説明図、およびフレキシブル配線基板３５の平面的な構成を拡大して示す説明図である。なお、図８（ａ）、（ｃ）には、シールド用フィルム８の突出部と重なる領域を一点鎖線で示してある。
【００７３】
図９は、本発明の実施の形態３に係る静電容量型入力装置１において入力装置用基板２０に対してフレキシブル配線基板３５を実装した部分周辺の説明図であり、図９（ａ）、（ｂ）、（ｃ）、（ｄ）は、入力装置用基板２０の実装部分の平面図、Ｂ２−Ｂ２′断面図、Ｃ２−Ｃ２′断面図、およびＤ２−Ｄ２′断面図である。なお、図９（ａ）では、フレキシブル配線基板３５の構成要素を実線で示し、入力装置用基板２０の構成要素を一点鎖線で示し、シールド用フィルム８の突出部を二点鎖線で示してある。
【００７４】
図６、図７、図８（ａ）および図９に示すように、入力装置用基板２０の第２面２０ｂには、複数の位置検出用実装端子２４ａが端部２０ｅに沿って配列された端子配列領域２４０が構成されている。図６、図７、図８（ｃ）および図９に示すように、フレキシブル配線基板３５は、入力装置用基板２０の端子配列領域２４０およびその両側領域に重なる重なり部分３５０を備えている。かかる重なり部分３５０には、位置検出用実装端子２４ａと重なる領域に端子３５ａが形成されている。
【００７５】
本形態では、図６、図７、図８および図９を参照して以下に説明するように、シールド用フィルム８のシールド電極層８３にシールド電位を印加するにあたってフレキシブル配線基板３５を用いる。具体的には、まず、シールド用フィルム８は、入力装置用基板２０の第２面２０ｂと重なる大面積の本体部８０と、本体部８０から帯状に延在する２つの突出部８５とを備えている。
【００７６】
ここで、本体部８０には、接着剤層８２およびシールド電極層８３が形成されており、本体部８０は、接着剤層８２によって入力装置用基板２０の第２面２０ｂに接着固定されている。これに対して、突出部８５には接着剤層８２が形成されておらず、シールド電極層８３は露出している。また、２つの突出部８５は、入力装置用基板２０の第２面２０ｂにおいて位置検出用実装端子２４ａの端子配列領域２４０の両側領域に重なっている。この状態で、突出部８５では、入力装置用基板２０が位置する側にシールド電極層８３が露出した状態である。
【００７７】
入力装置用基板２０の第２面２０ｂでは、位置検出用実装端子２４ａの端子配列領域２４０の両側領域にシールド用実装端子２４ｃが形成されている。また、シールド用フィルム８の突出部８５は、シールド用実装端子２４ｃに重なった状態でシールド電極層８３が異方性導電材４０によって電気的に接続されている。ここで、シールド用フィルム８の突出部８５は、シールド用実装端子２４ｃの一部のみ重なっており、シールド用実装端子２４ｃの他の部分は、異方性導電材４０によって、フレキシブル配線基板３５の端子３５ｃに電気的に接続されている。すなわち、フレキシブル配線基板３５には、位置検出用実装端子２４ａの端子配列領域２４０の両側領域と重なる領域に端子３５ｃが形成されており、かかる端子３５ｃは、入力装置用基板２０のシールド用実装端子２４ｃと重なる領域のうち、突出部８５と重ならない領域のみに形成されている。このように、本形態では、フレキシブル配線基板３５自身は突出部８５と重なっていない。端子３５ｃは、フレキシブル配線基板３５の基材フィルム３５ｆ上に形成された配線３５１ｃの端部からなる。
【００７８】
このように構成した入力装置用基板２０、フレキシブル配線基板３５、およびシールド用フィルム８を用いれば、以下に説明する実装工程を行なうことにより、図９（ｂ）、（ｃ）、（ｄ）に示すように、フレキシブル配線基板３５の端子３５ａと入力装置用基板２０の位置検出用実装端子２４ａとを異方性導電材４０によって電気的に接続することができる。また、フレキシブル配線基板３５の端子３５ｃと、入力装置用基板２０のシールド用実装端子２４ｃとを異方性導電材４０によって電気的に接続することができる。さらに、入力装置用基板２０のシールド用実装端子２４ｃとシールド用フィルム８の突出部８５に形成されているシールド電極層８３とを異方性導電材４０によって電気的に接続することができる。
【００７９】
（静電容量型入力装置１の製造方法／実装工程）
図７および図９を参照して、本形態の静電容量型入力装置１の製造方法のうち、入力装置用基板２０にフレキシブル配線基板３５を実装する工程を説明しながら、本形態の静電容量型入力装置１におけるシールド用フィルム８とフレキシブル配線基板３５との電気的な接続構造を説明する。
【００８０】
本形態の静電容量型入力装置１を製造するにあたって、実装工程では、まず、図７（ａ）および図９（ａ）に示すように、入力装置用基板２０の第２面２０ｂのうち、端子配列領域２４０およびその両側領域に異方性導電材４０を設ける。
【００８１】
次に、入力装置用基板２０の第２面２０ｂにシールド用フィルム８の本体部８０を接着剤層８２によって接着固定するとともに、２つの突出部８５を入力装置用基板２０のシールド用実装端子２４ｃに重ねる。
【００８２】
次に、図９（ｂ）、（ｃ）、（ｄ）に示すように、次に、異方性導電材４０を介して入力装置用基板２０の端子配列領域２４０および突出部８５を覆うようにフレキシブル配線基板３５の端部（重なり部分３５０）を重ねる。
【００８３】
次に、圧着ヘッド４５によってフレキシブル配線基板３５を加熱しながら、フレキシブル配線基板３５を入力装置用基板２０に押し付ける。その際、圧着ヘッド４５は、突出部８５も入力装置用基板２０に押し付ける。ここで、圧着ヘッド４５とフレキシブル配線基板３５との間、および圧着ヘッド４５と突出部８５との間にはフッ素樹脂系のシート等といった弾性部材４６を挿入しておく。次に、異方性導電材４０を固化させて、異方性導電材４０によってフレキシブル配線基板３５を入力装置用基板２０の端子配列領域２４０に固定するとともに、異方性導電材４０によって突出部８５と入力装置用基板２０とを固定する。
【００８４】
その結果、フレキシブル配線基板３５の端子３５ａと入力装置用基板２０の位置検出用実装端子２４ａとを異方性導電材４０によって電気的に接続することができる。また、フレキシブル配線基板３５の端子３５ｃと、入力装置用基板２０のシールド用実装端子２４ｃとを異方性導電材４０によって電気的に接続することができる。さらに、入力装置用基板２０のシールド用実装端子２４ｃとシールド用フィルム８の突出部８５に形成されているシールド電極層８３とを異方性導電材によって電気的に接続することができる。それ故、フレキシブル配線基板３５からシールド電極層８３にシールド電位を印加することができる。
【００８５】
（本形態の主な効果）
以上説明したように、本形態の静電容量型入力装置１および入力機能付き電気光学装置１００でも、実施の形態１と同様、入力装置用基板２０の入力操作面側（第１面２０ａ側）とは反対側（第２面２０ｂ側）に入力位置検出用電極２１を備えているため、入力装置用基板２０自身を透光性カバーとして利用できる等の利点がある。
【００８６】
また、入力装置用基板２０の第２面２０ｂ側には、シールド電極層８３を備えたシールド用フィルム８が設けられているため、入力位置検出用電極２１は電磁波ノイズの影響を受けにくい。ここで、シールド用フィルム８と入力装置用基板２０とは、接着剤層８２によって貼り合わされており、シールド電極層８３と入力装置用基板２０との間には接着剤層８２が介在している。かかる接着剤層８２であれば、入力装置用基板２０に対して堆積法や塗布法により成膜した表面保護膜２６と違って厚くしやすいので、入力位置検出用電極２１とシールド電極層８３とを十分離間させることができる。よって、入力位置検出用電極２１とシールド電極層８３との間に寄生する容量が小さいので、高い感度を得ることができる等、実施の形態１と略同様な効果を奏する。
【００８７】
［他の実施の形態］
上記実施の形態では、シールド用フィルム８に２つの突出部８５を設けたが、突出部８５の数については１つあるいは３つ以上であってもよい。
【００８８】
上記実施の形態では、下層側導電膜４ａにより入力位置検出用電極２１（パッド部）を形成し、上層側導電膜４ｂにより中継電極２１５を形成したが、上層側導電膜４ｂにより入力位置検出用電極２１（パッド部）を形成し、下層側導電膜４ａにより中継電極２１５を形成してもよい。
【００８９】
また、上記実施の形態では、画像生成装置５として液晶装置を用いたが、画像生成装置５としては有機エレクトロルミネッセンス装置を用いてもよい。また、上記実施の形態では、入力パネル２および電気光学パネル５ａはいずれも矩形の平面形状を備えたものを用いたが、５角形等の多角形の平面形状を備えたものを用いてもよく、電気光学パネル５ａを矩形の平面形状を備えたものとして、入力パネル２を前記電気光学パネル５ａより大きなサイズの多角形の平面形状を備えたものを用いてもよい。
【００９０】
［電子機器への搭載例］
次に、上述した実施形態に係る入力機能付き電気光学装置１００を適用した電子機器について説明する。図１０（ａ）に、入力機能付き電気光学装置１００を備えたモバイル型のパーソナルコンピューターの構成を示す。パーソナルコンピューター２０００は、表示ユニットとしての入力機能付き電気光学装置１００と本体部２０１０を備える。本体部２０１０には、電源スイッチ２００１及びキーボード２００２が設けられている。図１０（ｂ）に、入力機能付き電気光学装置１００を備えた携帯電話機の構成を示す。携帯電話機３０００は、複数の操作ボタン３００１及びスクロールボタン３００２、並びに表示ユニットとしての入力機能付き電気光学装置１００を備える。スクロールボタン３００２を操作することによって、入力機能付き電気光学装置１００に表示される画面がスクロールされる。図１０（ｃ）に、入力機能付き電気光学装置１００を適用した情報携帯端末（ＰＤＡ：Personal Digital Assistants）の構成を示す。情報携帯端末４０００は、複数の操作ボタン４００１及び電源スイッチ４００２、並びに表示ユニットとしての入力機能付き電気光学装置１００を備える。電源スイッチ４００２を操作すると、住所録やスケジュール帳といった各種の情報が入力機能付き電気光学装置１００に表示される。
【００９１】
なお、入力機能付き電気光学装置１００が適用される電子機器としては、図１０に示すものの他、デジタルスチールカメラ、液晶テレビ、ビューファインダー型、モニター直視型のビデオテープレコーダー、カーナビゲーション装置、ページャー、電子手帳、電卓、ワードプロセッサー、ワークステーション、テレビ電話、ＰＯＳ端末、銀行端末等の電子機器等が挙げられる。そして、これらの各種電子機器の表示部として、前述した入力機能付き電気光学装置１００が適用可能である。
【符号の説明】
【００９２】
１・・静電容量型入力装置、２・・入力パネル、８・・シールド用フィルム、２０・・入力装置用基板、２１・・入力位置検出用電極、２４ａ・・位置検出用実装端子、３５・・フレキシブル配線基板、４０・・異方性導電材、８１・・基材フィルム、８２・・接着剤層、８３・・シールド電極層、８５・・突出部、１００・・入力機能付き電気光学装置
【図１】
2011138261.tif 000003
【図２】
2011138261.tif 000004
【図３】
2011138261.tif 000005
【図４】
2011138261.tif 000006
【図５】
2011138261.tif 000007
【図６】
2011138261.tif 000008
【図７】
2011138261.tif 000009
【図８】
2011138261.tif 000010
【図９】
2011138261.tif 000011
【図１０】
2011138261.tif 000012